(57)【要約】【課題】ユーザに対して有用なサービスを提供する。【解決手段】人物画像、前景画像および背景画像から構成されるトップ画像を複数有するトップ動画を生成するトップ動画像生成部（３２１）であって、ユーザが選択したモデルのトップ動画の構成要素の少なくとも１つを使用して、ユーザのトップ動画を生成するトップ動画像生成部（３２１）を備える。【選択図】図１１
2015180021.tif 000002
【特許請求の範囲】
【請求項１】
ユーザを撮影して画像を生成する写真シール作成装置であって、
表示部と、
上記ユーザによる操作を受け付ける入力受付部と、
モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部と、
上記ユーザにモデルを選択させるための選択画像を上記表示部に表示させる表示制御手段と、
上記ユーザの顔画像を少なくとも含む人物画像、上記ユーザを示す文字列の画像である文字列画像を含む前景画像および背景画像から構成される合成画像を複数有する合成動画であって、当該複数の合成画像が所定時間で切り替わるユーザの合成動画を生成する動画生成手段と、
上記動画生成手段が生成した上記ユーザの合成動画を、当該ユーザの端末装置で閲覧可能なように、外部の装置へ送信する送信手段と、を備え、
上記動画生成手段は、上記入力受付部が上記ユーザの選択操作を受け付けた場合、上記ユーザによって選択されたモデルに上記記憶部において関連付けられている合成動画の構成要素である、人物画像、前景画像、背景画像、人物画像と前景画像と背景画像との位置関係、文字列のレタリング、並びに、合成動画の表示切替時間および表示切替効果の少なくとも１つを使用して、上記ユーザの合成動画を生成することを特徴とする写真シール作成装置。
【請求項２】
上記送信手段は、上記ユーザの合成動画が有する各合成画像を構成する人物画像、前景画像および背景画像をそれぞれ個別に上記外部の装置へ送信することを特徴とする請求項１に記載の写真シール作成装置。
【請求項３】
上記表示制御手段は、上記選択画像として、上記記憶部に記憶されている各モデルの合成動画を上記表示部で再生させ、
上記動画生成手段は、上記ユーザによって選択されたモデルの合成動画が有する合成画像であって、上記入力受付部が上記ユーザの選択操作を受け付けたときに上記表示部に表示されていた合成画像の構成要素を使用して、上記ユーザの合成動画を生成することを特徴とする請求項１または２に記載の写真シール作成装置。
【請求項４】
上記動画生成手段は、上記モデルの合成画像の構成要素のうち、当該モデルの人物画像を上記ユーザの人物画像に入れ替えると共に、当該モデルの文字列画像におけるモデルを示す文字列を、上記ユーザを示す文字列に入れ替えて、上記ユーザの合成画像を生成することを特徴とする請求項３に記載の写真シール作成装置。
【請求項５】
ユーザの端末装置および請求項２に記載の写真シール作成装置と通信ネットワークを介して接続し、該端末装置で表示できるデータを提供する管理装置であって、
上記写真シール作成装置から上記ユーザの合成動画が有する各合成画像を構成する人物画像、前景画像および背景画像をそれぞれ個別に取得する取得手段と、
上記端末装置から上記ユーザの指示を示す指示情報を受信する受信手段と、
上記受信手段が受信した指示情報の示す上記ユーザの指示に従って、上記取得手段が取得した複数の前景画像および背景画像のうち、少なくとも１つの元画像を他の画像と入れ替えて、新たな上記ユーザの合成動画を生成する動画編集手段と、を備えることを特徴とする管理装置。
【請求項６】
モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部をさらに備え、
上記受信手段は、上記ユーザが選択したモデルを示す指示情報を受信し、
上記動画編集手段は、上記元画像を、上記指示情報の示すモデルに上記記憶部において関連付けられている合成動画の有する合成画像を構成する前景画像または背景画像と入れ替えて、新たな上記ユーザの合成動画を生成することを特徴とする請求項５に記載の管理装置。
【請求項７】
ユーザの端末装置および請求項２に記載の写真シール作成装置と通信ネットワークを介して接続し、該端末装置で表示できるデータを提供する管理装置であって、
上記写真シール作成装置から上記ユーザの合成動画が有する各合成画像を構成する人物画像、前景画像および背景画像をそれぞれ個別に取得する取得手段と、
モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部と、
上記端末装置から上記ユーザの指示を示す指示情報を受信する受信手段と、
上記受信手段が受信した指示情報の示す上記ユーザの指示に従って、上記ユーザが選択したモデルの合成画像の構成要素のうち、当該モデルの人物画像を上記取得手段が取得したユーザの人物画像に入れ替えると共に、当該モデルの文字列画像におけるモデルを示す文字列を、上記取得手段が取得した前景画像に含まれる上記ユーザを示す文字列に入れ替えて、上記ユーザの合成画像を生成する動画編集手段と、を備えることを特徴とする管理装置。
【請求項８】
ユーザを撮影して画像を生成する写真シール作成装置の制御方法であって、
上記写真シール作成装置は、
表示部と、
上記ユーザによる操作を受け付ける入力受付部と、
モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部と、を備えており、
上記ユーザにモデルを選択させるための選択画像を表示部に表示する表示ステップと、
上記ユーザによる所定のモデルの選択操作を受け付ける入力受付ステップと、
上記ユーザの顔画像を少なくとも含む人物画像、上記ユーザを示す文字列の画像である文字列画像を含む前景画像および背景画像から構成される合成画像を複数有する合成動画であって、当該複数の合成画像が所定時間で切り替わるユーザの合成動画を生成する動画生成ステップと、
上記動画生成ステップにおいて生成された上記ユーザの合成動画を、当該ユーザの端末装置で閲覧可能なように、外部の装置へ送信する送信ステップと、を含み、
上記動画生成ステップは、上記入力受付ステップにおいて受け付けた選択操作の示すモデルに上記記憶部において関連付けられている合成動画の構成要素である、人物画像、前景画像、背景画像、人物画像と前景画像と背景画像との位置関係、文字列のレタリング、並びに、合成動画の表示切替時間および表示切替効果の少なくとも１つを使用して、上記ユーザの合成動画を生成することを特徴とする写真シール作成装置の制御方法。
【請求項９】
請求項２に記載の写真シール作成装置で撮影された画像を管理する管理装置と通信ネットワークを介して接続する端末装置であって、
ユーザによる操作を受け付ける入力受付部と、
上記管理装置から、上記写真シール作成装置が生成した上記ユーザの合成動画が有する各合成画像を構成する人物画像、前景画像および背景画像をそれぞれ個別に取得する取得手段と、
上記入力受付部が受け付けた上記ユーザによる操作に従って、上記取得手段が取得した複数の前景画像および背景画像のうち、少なくとも１つの元画像を他の画像と入れ替えて、新たな上記ユーザの合成動画を生成する動画編集手段と、を備えることを特徴とする端末装置。
【請求項１０】
請求項９に記載の端末装置としてコンピュータを機能させるための制御プログラムであって、コンピュータを上記各手段として機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、ユーザを撮影して画像を生成する写真シール作成装置および写真シール作成装置の制御方法、写真シール作成装置で撮影された画像を管理するための管理装置、並びに、写真シール作成装置で撮影された画像を表示する端末装置、該端末装置の制御プログラムおよび該制御プログラムを記録したコンピュータ読み取り可能な記録媒体に関する。
【背景技術】
【０００２】
近年の写真シール作成装置には、撮影した画像を管理サーバに送信する機能を有したものが多い。ユーザは、この機能を様々な形で活用できる。例えば、特許文献１に記載されているように、ユーザは、自身の携帯端末を操作して、管理サーバに保存された画像をダウンロードし、携帯端末の画面に表示して楽しむことができる。
【先行技術文献】
【特許文献】
【０００３】
【特許文献１】特開２０１０−００９２５０号公報（２０１０年１月１４日公開）
【発明の概要】
【発明が解決しようとする課題】
【０００４】
しかしながら、上述のような従来技術は、ユーザに対して十分なサービスを提供できていないという問題がある。
【０００５】
本発明は、上記の問題点に鑑みてなされたものであり、その目的は、ユーザに対して有用なサービスを提供する写真シール作成装置、写真シール作成装置の制御方法、管理装置、端末装置、制御プログラムおよび記録媒体を実現することにある。
【課題を解決するための手段】
【０００６】
上記の課題を解決するために、本発明に係る写真シール作成装置は、ユーザを撮影して画像を生成する写真シール作成装置であって、表示部と、上記ユーザによる操作を受け付ける入力受付部と、モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部と、上記ユーザにモデルを選択させるための選択画像を上記表示部に表示させる表示制御手段と、上記ユーザの顔画像を少なくとも含む人物画像、上記ユーザを示す文字列の画像である文字列画像を含む前景画像および背景画像から構成される合成画像を複数有する合成動画であって、当該複数の合成画像が所定時間で切り替わるユーザの合成動画を生成する動画生成手段と、上記動画生成手段が生成した上記ユーザの合成動画を、当該ユーザの端末装置で閲覧可能なように、外部の装置へ送信する送信手段と、を備え、上記動画生成手段は、上記入力受付部が上記ユーザの選択操作を受け付けた場合、上記ユーザによって選択されたモデルに上記記憶部において関連付けられている合成動画の構成要素である、人物画像、前景画像、背景画像、人物画像と前景画像と背景画像との位置関係、文字列のレタリング、並びに、合成動画の表示切替時間および表示切替効果の少なくとも１つを使用して、上記ユーザの合成動画を生成することを特徴としている。
【０００７】
また、上記の課題を解決するために、本発明に係る写真シール作成装置の制御方法は、ユーザを撮影して画像を生成する写真シール作成装置の制御方法であって、上記写真シール作成装置は、表示部と、上記ユーザによる操作を受け付ける入力受付部と、モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部と、を備えており、上記ユーザにモデルを選択させるための選択画像を表示部に表示する表示ステップと、上記ユーザによる所定のモデルの選択操作を受け付ける入力受付ステップと、上記ユーザの顔画像を少なくとも含む人物画像、上記ユーザを示す文字列の画像である文字列画像を含む前景画像および背景画像から構成される合成画像を複数有する合成動画であって、当該複数の合成画像が所定時間で切り替わるユーザの合成動画を生成する動画生成ステップと、上記動画生成ステップにおいて生成された上記ユーザの合成動画を、当該ユーザの端末装置で閲覧可能なように、外部の装置へ送信する送信ステップと、を含み、上記動画生成ステップは、上記入力受付ステップにおいて受け付けた選択操作の示すモデルに上記記憶部において関連付けられている合成動画の構成要素である、人物画像、前景画像、背景画像、人物画像と前景画像と背景画像との位置関係、文字列のレタリング、並びに、合成動画の表示切替時間および表示切替効果の少なくとも１つを使用して、上記ユーザの合成動画を生成することを特徴としている。
【０００８】
上記の構成によれば、上記写真シール作成装置は、上記ユーザによって選択されたモデルの合成動画の構成要素の少なくとも１つを使用して、上記ユーザの合成動画を生成する。すなわち、上記写真シール作成装置は、上記ユーザが選択したモデルの合成動画の少なくとも１つの構成要素と同じ構成要素を含む合成動画を生成する。よって、ユーザは、好きなモデルの合成動画に似せた合成動画を容易に作成することができるという効果を奏する。
【０００９】
また、本発明に係る写真シール作成装置において、上記送信手段は、上記ユーザの合成動画が有する各合成画像を構成する人物画像、前景画像および背景画像をそれぞれ個別に上記外部の装置へ送信することが好ましい。
【００１０】
上記構成によれば、上記写真シール作成装置は、上記ユーザの合成動画が有する各合成画像を構成する人物画像、前景画像および背景画像をそれぞれ個別に上記外部の装置へ送信するため、これらの画像を受信した上記外部の装置は、上記ユーザの合成動画の加工、追加、修正等の編集を容易に行うことができる。
【００１１】
また、本発明に係る写真シール作成装置において、上記表示制御手段は、上記選択画像として、上記記憶部に記憶されている各モデルの合成動画を上記表示部で再生させ、上記動画生成手段は、上記ユーザによって選択されたモデルの合成動画が有する合成画像であって、上記入力受付部が上記ユーザの選択操作を受け付けたときに上記表示部に表示されていた合成画像の構成要素を使用して、上記ユーザの合成動画を生成することが好ましい。
【００１２】
上記構成によれば、上記写真シール作成装置は、上記ユーザが選択した時に、上記表示部に表示されていた合成画像の構成要素を使用して、上記ユーザの合成動画を生成する。そのため、ユーザは、自身の合成動画に使用するモデルの合成画像の選択を直感的かつ簡単に行うことができる。
【００１３】
また、本発明に係る写真シール作成装置において、上記動画生成手段は、上記モデルの合成画像の構成要素のうち、当該モデルの人物画像を上記ユーザの人物画像に入れ替えると共に、当該モデルの文字列画像におけるモデルを示す文字列を、上記ユーザを示す文字列に入れ替えて、上記ユーザの合成画像を生成することが好ましい。
【００１４】
上記構成によれば、上記動画生成手段は、上記ユーザが選択したモデルの合成画像から、当該モデルの人物画像および文字列を上記ユーザの人物画像および文字列に入れ替えることによって、上記ユーザの合成画像を生成する。すなわち、上記動画生成手段は、構成要素のうち、前景画像（文字列を除く）、背景画像、人物画像と前景画像と背景画像との位置関係、文字列のレタリング、並びに、合成動画の表示切替時間および表示切替効果等がモデルの合成動画と同じであり、構成要素の人物画像および文字列のみがユーザの人物画像およびユーザの文字列である合成動画を生成する。よって、ユーザは、モデルの合成動画のうち、人物画像と文字列だけを自分のものに変えた合成動画を容易に作成することができる。
【００１５】
また、本発明に係る管理装置は、ユーザの端末装置および上記写真シール作成装置と通信ネットワークを介して接続し、該端末装置で表示できるデータを提供する管理装置であって、上記写真シール作成装置から上記ユーザの合成動画が有する各合成画像を構成する人物画像、前景画像および背景画像をそれぞれ個別に取得する取得手段と、上記端末装置から上記ユーザの指示を示す指示情報を受信する受信手段と、上記受信手段が受信した指示情報の示す上記ユーザの指示に従って、上記取得手段が取得した複数の前景画像および背景画像のうち、少なくとも１つの元画像を他の画像と入れ替えて、新たな上記ユーザの合成動画を生成する動画編集手段と、を備えることが好ましい。
【００１６】
上記構成によれば、上記管理装置は、ユーザの指示に基づいて、写真シール作成装置が生成した合成動画が有する各合成画像を構成する複数の前景画像および背景画像のうち、少なくとも１つの元画像を他の画像と入れ替えて、新たな上記ユーザの合成動画を生成する。すなわち、管理装置は、写真シール作成装置が生成した合成動画を再編集することができる。よって、ユーザは、写真シール作成装置で合成動画を作成した後に、その作成した合成動画を再編集することができる。
【００１７】
また、本発明に係る管理装置は、モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部をさらに備え、上記受信手段は、上記ユーザが選択したモデルを示す指示情報を受信し、上記動画編集手段は、上記元画像を、上記指示情報の示すモデルに上記記憶部において関連付けられている合成動画の有する合成画像を構成する前景画像または背景画像と入れ替えて、新たな上記ユーザの合成動画を生成することが好ましい。
【００１８】
上記構成によれば、上記管理装置は、ユーザの指示に基づいて、記憶部に記憶されているモデルの合成動画の有する合成画像を構成する前景画像または背景画像を使用して、写真シール作成装置が生成した合成動画を再編集することができる。よって、ユーザは、写真シール作成装置で合成動画を作成した後に、そのた作成した合成動画をモデルの合成動画を利用して再編集することができる。
【００１９】
また、本発明に係る管理装置は、ユーザの端末装置および請求項２に記載の写真シール作成装置と通信ネットワークを介して接続し、該端末装置で表示できるデータを提供する管理装置であって、上記写真シール作成装置から上記ユーザの合成動画が有する各合成画像を構成する人物画像、前景画像および背景画像をそれぞれ個別に取得する取得手段と、モデルの顔画像を少なくとも含む人物画像、当該モデルを示す文字列の画像である文字列画像を含む前景画像および背景画像から構成される合成画像を複数有する合成動画であって、当該複数の合成画像が所定時間で切り替わるモデルの合成動画が記憶され、複数のモデルの合成動画を当該モデルに関連付けてそれぞれ記憶されている記憶部と、上記端末装置から上記ユーザの指示を示す指示情報を受信する受信手段と、上記受信手段が受信した指示情報の示す上記ユーザの指示に従って、上記ユーザが選択したモデルの合成画像の構成要素のうち、当該モデルの人物画像を上記取得手段が取得したユーザの人物画像に入れ替えると共に、当該モデルの文字列画像におけるモデルを示す文字列を、上記取得手段が取得した前景画像に含まれる上記ユーザを示す文字列に入れ替えて、上記ユーザの合成画像を生成する動画編集手段と、を備えることが好ましい。
【００２０】
上記構成によれば、上記動画生成手段は、上記ユーザが選択したモデルの合成画像から、当該モデルの人物画像および文字列を写真シール作成装置から取得したユーザの合成動画に含まれる人物画像および文字列に入れ替えることによって、上記ユーザの合成画像を生成する。すなわち、上記動画生成手段は、構成要素のうち、前景画像（文字列を除く）、背景画像、人物画像と前景画像と背景画像との位置関係、文字列のレタリング、並びに、合成動画の表示切替時間および表示切替効果等がモデルの合成動画と同じであり、構成要素の人物画像および文字列のみがユーザの人物画像およびユーザの文字列である合成動画を生成する。よって、ユーザは、モデルの合成動画のうち、人物画像と文字列だけを自分のものに変えた合成動画を容易に作成することができる。
【００２１】
また、本発明に係る端末装置は、請求項２に記載の写真シール作成装置で撮影された画像を管理する管理装置と通信ネットワークを介して接続する端末装置であって、ユーザによる操作を受け付ける入力受付部と、上記管理装置から、上記写真シール作成装置が生成した上記ユーザの合成動画が有する各合成画像を構成する人物画像、前景画像および背景画像をそれぞれ個別に取得する取得手段と、上記入力受付部が受け付けた上記ユーザによる操作に従って、上記取得手段が取得した複数の前景画像および背景画像のうち、少なくとも１つの元画像を他の画像と入れ替えて、新たな上記ユーザの合成動画を生成する動画編集手段と、を備えることが好ましい。
【００２２】
上記構成によれば、上記端末装置は、ユーザの指示に基づいて、写真シール作成装置が生成した合成動画が有する各合成画像を構成する複数の前景画像および背景画像のうち、少なくとも１つの元画像を他の画像と入れ替えて、新たな上記ユーザの合成動画を生成する。すなわち、端末装置は、写真シール作成装置が生成した合成動画を再編集することができる。よって、ユーザは、写真シール作成装置で合成動画を作成した後に、その作成した合成動画を再編集することができる。
【００２３】
本発明の各態様に係る端末装置は、コンピュータによって実現してもよく、この場合には、コンピュータを上記端末装置が備える各手段として動作させることによって上記端末装置をコンピュータにて実現させる端末装置の制御プログラム、およびそれを記録したコンピュータ読み取り可能な記録媒体も、本発明の範疇に入る。
【発明の効果】
【００２４】
本発明は、ユーザに対して有用なサービスを提供することができるという効果を奏する。
【図面の簡単な説明】
【００２５】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影から画像保存までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態に係る撮影画像管理システムにおける携帯端末への画像保存に関する一連の処理の流れの一例を示すシーケンス図である。
【図１７】本発明の第１実施形態における携帯端末への画像保存処理時に携帯端末の表示部に表示されるウェブページの一例を示す画面遷移図である。
【図１８】本発明の第１実施形態における写真シール作成装置の表示制御部が実行する表示処理の一例を示すフローチャートである。
【図１９】本発明の第１実施形態における写真シール作成装置が表示するモデル選択画像の一例を示す図である。
【図２０】本発明の第１実施形態における写真シール作成装置が表示するモデル会員トップページの一例を示す図である。
【図２１】本発明の第１実施形態における携帯端末の表示部に表示される会員トップページの一例を示す図である。
【図２２】本発明の第１実施形態における管理サーバおよび携帯端末が実行する、トップ画像を生成する処理の流れの一例を示すシーケンス図である。
【図２３】本発明の第１実施形態における写真シール作成装置が実行するトップ動画像生成処理の一例を示すフローチャートである。
【発明を実施するための形態】
【００２６】
〔実施形態１〕
本発明の第１実施形態について、図１〜図２３を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２７】
（撮影画像管理システム１０）
図２は、本発明の第１実施形態に係る撮影画像管理システム１０の構成を示す図である。図２に示すように、撮影画像管理システム１０は、写真シール作成装置１、携帯端末（端末装置）６、および管理サーバ（管理装置）４を備えている。
【００２８】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービスをユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００２９】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３０】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００３１】
また、会員には、無料会員および有料会員（以下では一般会員と称する）と異なるモデル会員がある。画像提供サイトでは、モデル会員が撮影した画像が保存され、一般会員が当該画像を閲覧することができる。一般会員は、モデル会員の画像を見ることにより、写真シール作成装置１の撮影方法を真似たり、モデル会員のファッションを参考にしたりすることができる。なお、一般会員およびモデル会員をユーザと総称する。
【００３２】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００３３】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３４】
画像提供サイトへの画像保存後、ユーザは、携帯端末６または所望の他の装置を用いて画像提供サイトにログインして、画像をダウンロードすることができる。
【００３５】
（写真シール作成装置の構成）
撮影画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３６】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３７】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３８】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３９】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４０】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４１】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４２】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４３】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４４】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４５】
図３に示す編集部１２の構成を正面側の構成とすると、２組のユーザが同時に編集することができるように、編集部１２の正面側と背面側には編集制御に用いられる構成がそれぞれ設けられる。
【００４６】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４８】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４９】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５０】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５１】
（ユーザの移動）
写真シール作成ゲームの流れと、それに伴うユーザの移動について図５を参照して説明する。図５は、ユーザの移動について説明する図である。
【００５２】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５３】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５４】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５６】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５７】
画像の印刷が終了したとき、ユーザは、事後接客部１３に設けられた排出口からシール紙を受け取り、一連の写真シール作成ゲームを終えることになる。
【００５８】
（各部材の構成）
次に、写真シール作成装置１に備えられる各部材の構成について説明する。
【００５９】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６０】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６１】
正面パネル４１のほぼ中央には撮影・表示ユニット８１が設けられる。撮影・表示ユニット８１は、カメラ９１、正面ストロボ９２、およびタッチパネルモニタ（表示部、入力受付部）９３から構成される。
【００６２】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６３】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６４】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６５】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６６】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６７】
足元ストロボ８６の右側には、ユーザがお金を投入する硬貨投入返却口８７が設けられる。
【００６８】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６９】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７０】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７１】
（編集部１２）
図８は、写真シール作成装置１に備えられる編集部１２の構成例を示す図である。この図に示すように、編集部１２において、斜面７２のほぼ中央には、タブレット内蔵モニタ（表示部、入力受付部）１３１が設けられる。タブレット内蔵モニタ１３１を挟んで左側にタッチペン１３２Ａが設けられ、右側にタッチペン１３２Ｂが設けられる。
【００７２】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７３】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７４】
（事後接客部１３）
編集部１２の左側には事後接客部１３が設けられる。図９は、写真シール作成装置１に備えられる事後接客部１３の構成例を示す図である。
【００７５】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７６】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７７】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７８】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７９】
スピーカ１６５は、事後接客時の案内音声、ＢＧＭ、効果音等の音を出力する。
【００８０】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８１】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８２】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８３】
通信部２０３はインターネットなどのネットワークのインタフェースであり、制御部２０１による制御に従って外部の装置と通信を行う。
【００８４】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８５】
ＲＯＭ２０６には、制御部２０１において実行されるプログラムおよびデータが記憶されている。ＲＡＭ２０７は、制御部２０１が処理するデータおよびプログラムを一時的に記憶する。
【００８６】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８７】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８８】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８９】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９０】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９１】
カメラ９１は、制御部２０１による制御に従って撮影を行い、撮影によって得られた画像（画像）を制御部２０１に出力する。
【００９２】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９３】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９４】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９５】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９６】
また、印刷部２１１は、印刷制御に係る処理において、シール紙への撮影画像（又は編集画像）の印刷に加え、欄外（シール紙の端部など）に、管理サーバ４へ送信した画像を取得するためのＵＲＬ（Uniform Resource Locater）、及び、シールＩＤ（画像取得用ＩＤ）などを印刷してもよい。シールＩＤとは、写真シール作成装置１において１ゲーム中に生成された１又は複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９７】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９８】
なお、印刷部２１１は、画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００９９】
（制御部の構成）
図１１は、写真シール作成装置１に備えられる制御部２０１の詳細な構成例を示す機能ブロック図である。この図に示すように、制御部２０１は、通信制御部（送信手段）３１１、撮影制御部（撮影手段）３１２、編集制御部（編集手段）３１３、印刷制御部３１４、および事後接客制御部３１５を備えている。
【０１００】
通信制御部３１１は、通信部２０３による外部の装置との通信を制御する。例えば、通信制御部３１１は、例えば、管理サーバ４からモデル会員の画像（モデル会員画像（モデル画像）４２７）およびモデル会員のユーザ特定情報（モデル会員特定情報４２５）、モデルのトップ動画像等を受信し、受信したデータを記憶部２０２に格納する。
【０１０１】
ここで、写真シール作成装置１が生成する画像には、３種類の画像がある。具体的には、（１）撮影制御部３１２がカメラ９１から取得する撮影画像、（２）撮影制御部３１２が撮影画像を修正した修正画像、および、（３）編集制御部３１３が、ユーザの操作に基づいて、撮影画像または修正画像を編集した編集画像である。この撮影画像、修正画像および編集画像を、生成画像と総称する。なお、撮影画像は、換言すると、カメラ９１が撮影した画像である。また、修正画像とは、撮影制御部３１２により、例えば、撮影画像に撮影されている人物の顔部位等が修正された画像である。より詳細には、修正画像は、目の大きさ、顔の大きさ（小顔処理）、およびその他の部位の大きさ、並びに部位の色等が修正された画像である。編集画像とは、例えば、編集落書き処理により、フレーム背景など合成画像が合成され、スタンプ画像またはペン画像が追記され、さらに色補正などが加えられた画像である。
【０１０２】
通信制御部３１１は、管理サーバ４に撮影画像、修正画像および編集画像の少なくとも１種の画像を送信する。また、通信制御部３１１は、後述のトップ動画像生成部３２１が生成したユーザのトップ動画像を管理サーバ４に送信してもよい。このとき、管理サーバ４においてユーザのトップ動画像を構成する画像（複数のトップ画像、並びに人物画像、背景画像および前景画像）の入れ替えを可能にするために、通信制御部３１１は、ユーザのトップ動画像を構成する複数のトップ画像を構成する人物画像、背景画像および前景画像を個別に管理サーバ４に送信してもよい。
【０１０３】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像が撮影された日時に関する日時情報を生成することもできる。
【０１０４】
また、撮影制御部３１２は、撮影作業の工程に関する処理を開始する前または処理中に、ユーザにモデルを選択させるためのモデル選択画像（選択画像）をタッチパネルモニタ９３に表示させてもよい。この場合、ユーザがタッチパネルモニタ９３を操作して、所定のモデルを選択すると、撮影制御部３１２は、記憶部２０２に格納されているモデル会員画像４２７およびモデル会員特定情報４２５等に基づいて、選択されたモデルのモデル会員トップページを表示する。
【０１０５】
そのため、ユーザは、撮影作業の工程中に、好きなモデルの画像を閲覧することができ、モデルの画像を参考にして、撮影することができる。それゆえ、ユーザは、好きなモデルの画像の撮影方法等を容易に真似ることができる。
【０１０６】
また、その際に、ユーザが好きなモデルの画像を選択して、そのモデルの撮影時の設定（撮影画角、照明強度、背景情報等）が、ユーザの撮影に反映されるようにしてもよい。
【０１０７】
編集制御部３１３は、編集部１２Ａおよび編集部１２Ｂによる画像に対する落書き編集等、写真シール作成ゲームにおけるユーザの編集制御に関する処理を制御する。
【０１０８】
また、編集制御部３１３は、編集作業の工程に関する処理を開始する前または処理中に、ユーザにモデルを選択させるためのモデル選択画像をタブレット内蔵モニタ１３１に表示させてもよい。この場合、ユーザがタブレット内蔵モニタ１３１を操作して、所定のモデルを選択すると、編集制御部３１３は、記憶部２０２に格納されているモデル会員画像４２７およびモデル会員特定情報４２５等に基づいて、選択されたモデルのモデル会員トップページを表示する。なお、既にユーザがモデルを選択している場合、編集制御部３１３は、編集作業の工程に関する処理を開始する前または処理中に、選択されたモデルのモデル会員トップページを表示してもよい。
【０１０９】
そのため、ユーザは、編集作業の工程中に、好きなモデルの画像を閲覧することができ、モデルの画像を参考にして、画像を編集することができる。それゆえ、ユーザは、好きなモデルの画像の編集方法等を容易に真似ることができる。
【０１１０】
また、その際に、好きなモデルの画像を選択して、そのモデルの編集時の設定（スタンプ、ペン、背景情報、画像処理情報）が、ユーザの編集に反映されるようにしてもよい。
【０１１１】
また、編集制御部３１３は、図１１に示すように、トップ動画像生成部（動画生成手段）３２１を備えていてもよい。トップ動画像生成部３２１は、ユーザの選択操作に基づいて、トップ動画像を生成する。トップ動画像とは、ＨＴＭＬ等で記載されたユーザの画像閲覧ページやユーザのブログページおいて、ページの巻頭を飾る当該ユーザの紹介動画像である。トップ動画像は、トップ動画（合成動画）およびトップ画像（合成画像）を含む。トップ画像は、人物画像、背景画像および前景画像から構成される。トップ動画は、複数のトップ画像から構成され、当該複数のトップ画像が所定時間で所定の表示切替効果で切り替わる動画である。
【０１１２】
人物画像は、ユーザの全身、上半身または顔の画像である。すなわち、人物画像は、少なくともユーザの顔画像を含む。人物画像は、撮影画像、修正画像もしくは編集画像から人物領域だけ抽出して生成されてもよいし、人物画像用に撮影画像とは別にユーザを撮影して、クロマキー手法により人物領域だけ抽出して生成されてもよい。
【０１１３】
背景画像とは、トップ画像の背景を構成するものであり、例えば、グラデーションなどで半透明になるものがある。
【０１１４】
前景画像とは、トップ画像の前景を構成するものであり、ユーザの名前を主体にした文字列画像を含む。文字列画像は、ユーザを示す文字列（ユーザの名前、ニックネーム等）の画像である。前景画像はさらに、ユーザを示す文字列に関連したスタンプなどのオブジェクト画像等を含んでよい。
【０１１５】
文字列画像は、書体がレタリングされた画像で、影付けや縁付など、さらに一定の角度傾けたものやグラデーションや半透明処理されたものなどである。また付記されるオブジェクトとは、水玉や、波紋、炎の画像、さらにフレーム画像など、半透明やぼかしなどの処理がなされる。
【０１１６】
トップ動画像生成部３２１は、トップ画像の生成時に、ユーザが人物画像、背景画像および前景画像を選択できるように、人物画像、背景画像および前景画像の画像サンプルを提示してもよい。前景画像については、ユーザが文字情報を入力ののち、所定のレタリングタッチのサンプルデータを選択することにより、トップ動画像生成部３２１は、ユーザが入力した文字に対して、ユーザが選択したレタリング効果をかけて前景画像を生成する。さらにトップ動画像生成部３２１は、前景画像にユーザが選択したオブジェト画像を合成してもよい。ユーザは、人物画像、背景画像および前景画像の位置関係を決定する場合、ペン等で、各画像を所定の位置、所定のサイズに拡大縮小して定める。前景画像における文字列画像およびオブジェクト画像の位置も同様にユーザの操作により決定される。
【０１１７】
トップ動画像生成部３２１は、複数のトップ画像を生成してもよい。この場合、ユーザは、複数のトップ画像の順序を指定して、所定時間でトップ画像が切り替わるスライドショー動画（トップ動画）を作成することができる。このとき、トップ動画像生成部３２１は、生成したトップ動画をタブレット内蔵モニタ１３１に表示して再生してもよい。また、ユーザは、トップ画像の切替時の表示効果を選択することができる。例えば、自然と画像が薄くなり次の画像が濃くなるものや、ページがめくられるようなものを選択可能である。
【０１１８】
まとめると、トップ動画像生成部３２１は、ユーザの顔画像を少なくとも含む人物画像、ユーザを示す文字列の画像である文字列画像を含む前景画像および背景画像から構成されるユーザのトップ画像、または、当該トップ画像を複数有するトップ動画であって、当該複数のトップ画像が所定時間で切り替わるユーザのトップ動画を生成する。
【０１１９】
ここで、トップ動画像生成部３２１は、ユーザが選択したモデルのトップ動画像の構成要素の少なくとも１つを使用して、ユーザのトップ動画像を生成してもよい。トップ動画像の構成要素とは、例えば、人物画像、前景画像、背景画像、人物画像と前景画像と背景画像との位置関係、文字列のレタリング、並びに、トップ動画の表示切替時間および表示切替効果等である。
【０１２０】
具体的には、編集制御部３１３は、ユーザにトップ動画像を選択させるために、各モデルのトップ動画像を掲載した選択画像をタブレット内蔵モニタ１３１に表示する。タブレット内臓モニタ１３１がユーザの選択操作を検出すると、トップ動画像生成部３２１は、ユーザが選択したトップ動画像を記憶部２０２から読み出す。トップ動画像生成部３２１は、ユーザが選択したトップ動画像の構成要素の少なくとも１つを使用して、ユーザのトップ動画像を生成する。ここで、ユーザが使用する構成要素を選択した場合、トップ動画像生成部３２１は、ユーザが選択したトップ動画像の構成要素のうち、ユーザが選択した構成要素を使用して、ユーザのトップ動画像を生成する。すなわち、トップ動画像生成部３２１は、ユーザが選択したトップ動画像の構成要素と同じ構成要素を有するユーザのトップ動画像を生成する。
【０１２１】
また、編集制御部３１３は、上記モデル選択画像として、記憶部２０２に記憶されている各モデルのトップ動画をタブレット内臓モニタ１３１で再生させてもよい。この場合、トップ動画像生成部３２１は、ユーザによって選択されたモデルのトップ動画が有するトップ画像であって、タブレット内臓モニタ１３１がユーザの選択操作を受け付けたときにタブレット内臓モニタ１３１に表示されていたトップ画像の構成要素を使用して、ユーザのトップ動画像を生成してもよい。
【０１２２】
また、トップ動画像生成部３３１は、ユーザが選択したモデルのトップ画像の構成要素のうち、当該モデルの人物画像をユーザの人物画像に入れ替えると共に、当該モデルの文字列画像におけるモデルを示す文字列を、ユーザを示す文字列に入れ替えて、ユーザのトップ画像を生成してもよい。この入れ替えるユーザの人物画像およびユーザを示す文字列は、ユーザが選択または入力したものであってもよいし、予め（ユーザによって）設定されたものであってもよい。
【０１２３】
人物部分の入れ替えは、基本的に、モデルのトップ画像の人物部分とほぼ同じ画像に合成される。具体的には、人物画像の中心（所定画像の重心でもよいし、人物画像を外接する矩形の対角線の交点でもよい）をモデルの人物画像から抽出算定し、入れ替えるユーザの人物画像の中心が同じ場所に重なるように人物画像を入れ替える。また文字列画像の入れ替えは、モデル画像の文字列画像は、所定のレタリングが施されているが、そのレタリングと同じスタイルになるように、ユーザを示す文字列を編集して、先ほどの画像の中心を合わせる方法で、入れ替える。レタリングによる文字列画像とは、文字列形状にマスク画像を作成し、文字列部分に背景など所定の画像が見えるように処理されたり、文字列の画像が所定のタッチの材質の画像（布地画像や石、ガラスなど）で作成されたもの等である。また、文字列が立体化されたものや、影付けされたものも含む。また動画と組み合わせて、文字列が所定の動きをすることも含む。
【０１２４】
換言すると、トップ動画像生成部３３１は、構成要素のうち、前景画像（文字列を除く）、背景画像、人物画像と前景画像と背景画像との位置関係、文字列のレタリング、並びに、トップ動画の表示切替時間および表示切替効果等がモデルのトップ動画像と同じであり、構成要素の人物画像および文字列のみがユーザの人物画像およびユーザの文字列であるトップ動画像を生成してもよい。ここで、生成されたユーザのトップ動画像において、生成されたユーザのトップ画像における人物画像および文字列画像の位置は、モデルのトップ画像における人物画像および文字列画像の位置とそれぞれ同じであってよい。また、生成されたユーザのトップ画像における文字列画像のレタリングは、モデルのトップ画像における文字列画像のレタリングと同じであってよい。
【０１２５】
印刷制御部３１４は、印刷部２１１によるシール紙の印刷等、写真シール作成ゲームにおけるユーザの印刷制御に関する処理を制御する。
【０１２６】
事後接客制御部３１５は、事後接客部１３による、編集作業を終了したユーザグループを接客する処理等、写真シール作成ゲームにおける事後接客に関する処理を制御する。
【０１２７】
なお、事後接客制御部３１５は、図１１に示すように、トップ動画像生成部３３１を備えていてもよい。トップ動画像生成部３３１は、上述のトップ動画像生成部３２１と同じ機能を有するものである。
【０１２８】
（記憶部２０２の詳細）
図１１に示すように、記憶部２０２は、管理サーバ４から送信されたモデル会員特定情報４２５およびモデル会員画像４２７等を記憶する。モデル会員特定情報４２５には、モデル会員のトップ動画像を含まれる。すなわち、モデル会員のトップ動画像は、当該モデル会員に関連付けて記憶されている。
【０１２９】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１３０】
（制御部４０１の詳細）
図１に示すように、制御部４０１は、通信制御部４１１、メール作成部４１２、ウェブページ作成部（ページ作成手段）４１３、画像管理部４１４、および写真シール作成装置管理部４１５を備えている。
【０１３１】
（通信制御部４１１）
通信制御部４１１は、通信部４０３による通信を制御する。
【０１３２】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１３３】
（ウェブページ作成部４１３）
ウェブページ作成部４１３は、携帯端末６に表示されるウェブページを作成する。本実施形態では、ウェブページ作成部４１３は、ウェブページデータベース４２３に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１３４】
具体的には、ウェブページ作成部４１３は、ユーザに関する情報を表示するためのユーザページを作成する。ここで、ユーザページは、会員トップページおよび当該会員トップページの下位のページを含む。
【０１３５】
なお、以下において「ページ」は、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１３６】
また、ウェブページ作成部４１３は、トップ動画像生成部（動画像生成手段、動画編集手段）４１６を備える。トップ動画像生成部４１６は、携帯端末６から送信されたユーザの指示を示す指示情報に基づいて、人物画像（顔画像）、前景画像（文字列画像）および背景画像、並びに、人物画像の位置、文字の位置および文字のフォント等を特定し、特定した人物画像、前景画像および背景画像を組み合わせて、トップ動画像を生成する。
【０１３７】
例えば、トップ動画像生成部４１６は、指示情報が指定する一般会員画像からユーザの顔画像を抽出し、抽出した顔画像を使用してトップ画像を生成してよい。また、トップ動画像生成部４１６は、指示情報が指定するモデル会員のトップ動画像の構成要素の少なくとも１つを使用して、トップ動画像を生成してよい。
【０１３８】
また、トップ動画像生成部４１６は、写真シール作成装置１から送信されるトップ動画像を構成する複数のトップ画像、人物画像、前景画像または背景画像を再編集して、新たなトップ動画像を生成してもよい。例えば、通信制御部４１１が、写真シール作成装置１が生成したトップ動画の有する各トップ画像を構成する複数の前景画像および背景画像の少なくとも１つの入れ替えを指示する指示情報を受信すると、トップ動画像生成部４１６は、当該指示情報の示すユーザの指示に従って、写真シール作成装置１が生成したトップ動画の有する各トップ画像を構成する複数の前景画像および背景画像の少なくとも１つの元画像（写真シール作成装置１が生成したユーザのトップ動画の有する各トップ画像を構成する前景画像および背景画像）を他の画像（例えば、モデルのトップ動画の有するトップ画像の前景画像または背景画像）と入れ替えて、新たな上記ユーザのトップ動画を生成する。
【０１３９】
また、トップ動画像生成部４１６は、ユーザが選択したモデルのトップ画像の構成要素のうち、当該モデルの人物画像をユーザの人物画像に入れ替えると共に、当該モデルの文字列画像におけるモデルを示す文字列を、ユーザを示す文字列に入れ替えて、ユーザのトップ画像を生成してもよい。この入れ替えるユーザの人物画像およびユーザを示す文字列は、ユーザが選択または入力したものであってもよいし、予め（ユーザによって）設定されたものであってもよいし、写真シール作成装置１から送信されたユーザのトップ動画像に含まれる人物画像および文字列であってもよい。
【０１４０】
なお、本実施形態では、ウェブページ作成部４１３がトップ動画像生成部４１６を備えているが、ウェブページ作成部４１３と、トップ動画像生成部４１６とは別体であってもよい。
【０１４１】
ウェブページ作成部４１３は、トップ動画像生成部４１６が生成したトップ動画像を会員トップページ等の所定の場所に配置可能である。これにより、ユーザは、トップ動画の実際の動画再生状況を確認できる。さらに、ユーザは、複数のトップ画像の表示時間の設定、トップ画像が切り替わるときの表示効果の設定なども所定のデータから再設定可能とする。
【０１４２】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１４３】
（写真シール作成装置管理部４１５）
写真シール作成装置管理部４１５は、１または複数の写真シール作成装置１を管理する。具体的には、写真シール作成装置管理部４１５は、所定のタイミングで、記憶部４０２からモデル会員特定情報４２５、モデル会員画像４２７およびモデルのトップ動画像等を読み出し、読み出したモデル会員特定情報４２５、モデル会員画像４２７およびモデルのトップ動画像等を写真シール作成装置１に送信する。写真シール作成装置管理部４１５は、例えば、モデル会員特定情報４２５、モデル会員画像４２７またはモデルのトップ動画像等が更新（追加・修正）された場合に、更新されたモデル会員特定情報４２５、モデル会員画像４２７およびモデルのトップ動画像等を写真シール作成装置１に送信してよい。また、写真シール作成装置管理部４１５は、一定期間毎に、モデル会員特定情報４２５、モデル会員画像４２７およびモデルのトップ動画像等を写真シール作成装置１に送信してよい。また、写真シール作成装置管理部４１５は、写真シール作成装置１からリクエストを受信した場合に、モデル会員特定情報４２５、モデル会員画像４２７およびモデルのトップ動画像等を写真シール作成装置１に送信してよい。
【０１４４】
（記憶部４０２の詳細）
図１に示すように、記憶部４０２は、メールデータベース４２１、会員データベース４２２、ウェブページデータベース４２３、および画像データベース４２４を有している。
【０１４５】
（メールデータベース４２１）
メールデータベース４２１は、ユーザに送信するメールを作成するための各種データを格納している。
【０１４６】
（会員データベース４２２）
会員データベース４２２は、画像提供サイトの会員であるユーザに関する各種情報を格納している。本実施形態では、会員データベース４２２には、写真シール作成装置１を利用するユーザを特定する情報（ユーザ特定情報）が、ユーザ別に格納されている。図１に示すように、本実施形態では、会員データベース４２２には、モデル会員のユーザ特定情報であるモデル会員特定情報４２５、および、一般会員のユーザ特定情報である一般会員特定情報４２６が格納されている。ユーザ特定情報としては、例えば、ユーザの会員ＩＤ、メールアドレス、ニックネーム、生年月日、住所、会員属性、入会日、および、ユーザが保有する携帯端末の端末ＩＤなどを挙げることができる。また、会員属性としては、例えば、有料会員、無料会員およびモデル会員などを挙げることができる。
【０１４７】
また、会員データベース４２２には、ユーザ特定情報として、トップ動画像、アイコン画像、会員個人のＳＮＳページおよびＢＬＯＧページのＵＲＬ、並びに、プロフィールコメント等が含まれていてもよい。
【０１４８】
（ウェブページデータベース４２３）
ウェブページデータベース４２３は、携帯端末６に表示される画像提供サイトのウェブページを作成するための各種データを格納している。
【０１４９】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。具体的には、画像データベース４２４には、モデル会員に対応付けられている画像であるモデル会員画像４２７、および、一般会員に対応付けられている画像である一般会員画像４２８が格納されている。
【０１５０】
図示はしないが、記憶部４０２は、写真シール作成装置１から受信した画像などのデータを一時的に保存する一時保存データベースも有している。
【０１５１】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１５２】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、撮影画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１５３】
（制御部６０１の詳細）
図１２に示すように、制御部６０１は、通信制御部６１１、入力制御部６１２、および表示制御部６１３を備えている。
【０１５４】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１５５】
（会員登録処理）
撮影画像管理システム１０では、画像提供サイトに会員登録したユーザが、撮影画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示されるウェブページの一例を示す画面遷移図である。
【０１５６】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１５７】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１５８】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１５９】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１６０】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１６１】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１６２】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１６３】
（サービスの流れ）
次に、撮影画像管理システム１０によって提供されるサービスの流れの詳細について、図１４および図１５を参照して以下に説明する。図１４は、撮影画像管理システム１０における写真撮影から画像保存までの一連の処理の流れの一例を示すシーケンス図である。
【０１６４】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１６５】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１６６】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１６７】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１６８】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１６９】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１７０】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で画像を取得可能なように、写真シール作成装置１において作成されたシールＩＤおよび、画像取得情報（画像取得サイトのＵＲＬ、または、取得のためのメールアドレスなど）が欄外に印刷され、また、所定の画像が中央部に印刷されたシール紙をシール紙排出口１６４に排出する。
【０１７１】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて画像（編集済みの画像を含む）を管理サーバ４に送信するための処理を制御する。その際、事後接客制御部３１５は、ゲームをプレイしたユーザのメールアドレスを入力するためのメールアドレスの入力画面、および、送信する画像の選択画面をタブレット内蔵モニタ１６１に表示させる。ユーザは、タッチペン１６２Ａまたはタッチペン１６２Ｂを用いることによって、現在用いているメールアドレスを入力すると共に、管理サーバ４に送信したい画像を選択する。
【０１７２】
（画像送信）
通信制御部３１１は、入力されたメールアドレスおよび選択された画像もしくは制御部２０１が送信対象と決定した画像を、通信部２０３を通じて管理サーバ４に送信する（ステップＳ６）。このとき送信される画像には、当該画像を一義的に特定するための識別子（画像ＩＤ）が関連付けられている。写真シール作成装置１から送信されたメールアドレス、画像、および画像ＩＤを、管理サーバ４の通信部４０３が受信し（ステップＳ７）、通信制御部４１１に出力する。通信制御部４１１は、受信した画像を、記憶部４０２の図示しない一時保存データベースに保存する。保存された画像などのデータは、規定の期限が経過するまで一時保存データベースに格納され続け、期限が経過すると自動的に一時保存データベースから削除される。
【０１７３】
なお、通信制御部３１１は、管理サーバ４に対し、ユーザが選択した所定の枚数の画像だけではなく、ユーザが将来有料会員になる場合を考慮して、すべての画像を送信してもよい。これにより、ユーザは、無料会員の状態で撮影したあと、サイト上で有料会員になった場合に、無料会員の状態で撮影したすべての画像を取得することができる。
【０１７４】
（案内メールの作成および送信）
通信制御部４１１は、受信したメールアドレスおよび画像ＩＤをメール作成部４１２に出力する。メール作成部４１２は、通信制御部４１１から受け取ったメールアドレス宛に送信される、画像の保存をユーザに案内する案内メールを作成する。その手順は次の通りである。メール作成部４１２は、画像ＩＤをウェブページ作成部４１３に出力すると共に、当該画像ＩＤによって特定される画像を保存するためのウェブページを示すＵＲＬ１１０２の生成を、ウェブページ作成部４１３に要求する。ウェブページ作成部４１３は、要求されたＵＲＬ１１０２を生成し、メール作成部４１２に出力する。
【０１７５】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１７６】
なお、メール作成部４１２は、画像ＩＤとその画像ＩＤにかかわる画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている画像を表示するようにしてもよい。
【０１７７】
（画像保存用ウェブページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。
【０１７８】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１７９】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１８０】
図１５（ｂ）に示すように、ウェブページ１１０３は、一つのサムネイル画像１１０４、ユーザに有料会員の登録を促すリンク画像１１０５、および、画像提供サイトに画像を一枚保存するためのリンク画像１１０６を含んでいる。ユーザが無料会員である場合には保存できる画像が一枚であるため、サムネイル画像１１０４は、その一枚の画像のサムネイルである。なお、当該一枚の画像とは、写真シール作成装置１においてユーザにより選択された画像である。一方、画像が複数枚ある場合、サムネイル画像１１０４は、これら複数の画像のいずれかのサムネイルである。
【０１８１】
図１５（ｃ）に示すように、ウェブページ１１０７は、一つのサムネイル画像１１０４、および、全ての画像を保存するためのリンク画像１１０８を含んでいる。
【０１８２】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１８３】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、画像が複数枚あったとしても、画像提供サイトに保存できるのは、それらのうちのいずれか一枚である。ユーザは、一枚の画像を保存したい場合、入力部６０４を通じてリンク画像１１０６を選択する。なお、当該保存したい画像は、写真シール作成装置１において携帯端末６へ送信する画像として選択した画像に限られず、例えば、画像提供サイトにアクセスしている携帯端末６において保存対象の画像として指定された画像であってもよい。
【０１８４】
入力制御部６１２は、入力部６０４における選択入力を受け付け、リンク画像１１０６が選択されたことを通信制御部６１１に通知する。これを受けて、通信制御部６１１は、画像保存の指示を管理サーバ４に送信する（ステップＳ１５）。
【０１８５】
送信された保存指示を、通信制御部４１１が通信部４０３を通じて受信する（ステップＳ１６）。これにより通信制御部４１１は、画像の保存を画像管理部４１４に指示する。画像管理部４１４は、この指示を受けて、一時保存データベースに格納されているユーザの画像を、ユーザの会員ＩＤに関連付けて画像データベース４２４に保存する（ステップＳ１７）。その際、画像が一枚なら、その画像を保存する。一方、画像が複数枚なら、そのうちのいずれか一つ（たとえばサムネイル画像１１０４に対応する画像）を保存する。これにより、図１４に示す一連の処理は完了する。
【０１８６】
なお、無料会員であるユーザは、全ての画像を保存したい場合、リンク画像１１０５を選択する。この場合、有料会員登録のための一連の処理が撮影画像管理システム１０において行われる。そして登録が完了すると、全ての画像がユーザの会員ＩＤに関連付けられて画像データベース４２４に保存される。
【０１８７】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、全ての画像を保存する。なお、ユーザによる保存する画像（無料会員であれば１枚の画像、有料会員であれば全ての画像）の選択は、写真シール作成装置１において受け付けられていてもよい。この場合には、画像管理部４１４は、写真シール作成装置１において選択されている画像を画像データベース４２４に保存すればよい。
【０１８８】
（携帯端末６への画像保存）
以下に、画像提供サイトに保存された画像をユーザの携帯端末６に保存する際の処理の流れについて、図１６および図１７を参照して説明する。図１６は、撮影画像管理システム１０における携帯端末６への画像保存に関する一連の処理の流れの一例を示すシーケンス図である。図１７は、携帯端末６への画像保存処理時に携帯端末６の表示部６０５に表示されるウェブページの一例を示す画面遷移図である。
【０１８９】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ２１）。なお、通信制御部６１１は、リンク画像１００２が選択された場合に、ユーザの会員ＩＤおよびパスワードを入力するためのウェブページを取得してもよい。この場合には、管理サーバ４は、ウェブページにおいて会員ＩＤおよびパスワードの入力を受け付ければよい。
【０１９０】
管理サーバ４の通信制御部４１１は、この要求を、通信部４０３を通じて受け付ける（ステップＳ２２）。次に通信制御部４１１は、受信した会員ＩＤおよびパスワードをウェブページ作成部４１３に出力すると共に、会員トップページ１０３１の作成をウェブページ作成部４１３に指示する。
【０１９１】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３から、会員トップページ１０３１を生成するためのデータを取得する。ウェブページ作成部４１３は、当該データを用いて、図１７（ｂ）に示すような会員トップページ１０３１を生成し、通信制御部４１１に出力する。会員トップページ１０３１は、画像提供サイトに保存されているユーザの画像の一覧を表示するためのリンク画像１０３２を含んでいる。通信制御部４１１は、通信部４０３を通じて会員トップページ１０３１を携帯端末６に送信する（ステップＳ２３）。
【０１９２】
携帯端末６の通信制御部６１１は、通信部６０３を通じて、会員トップページ１０３１を受信する。通信制御部６１１は、受信した会員トップページ１０３１を表示制御部６１３に出力する。表示制御部６１３は、会員トップページ１０３１を表示部６０５に出力する。結果、表示部６０５に会員トップページ１０３１が表示される（ステップＳ２４）。
【０１９３】
ユーザは、携帯端末６の入力部６０４を操作することによって、リンク画像１０３２を選択する（ステップＳ２５）。入力制御部６１２が、この選択操作を受け付けて、リンク画像１０３２が選択されたことを通信制御部６１１に通知する。これにより通信制御部６１１は、画像提供サイトに保存されているユーザの画像の一覧を含むウェブページの提供を求めるリクエストを、通信部６０３を通じて管理サーバ４に送信する。
【０１９４】
管理サーバ４の通信制御部４１１は、送信されたリクエストを、通信部４０３を通じて受け付ける（ステップＳ２６）。次に通信制御部４１１は、画像データベース４２４に保存されているユーザの画像の一覧を含む画像一覧ページ１０４１の生成を、ウェブページ作成部４１３に指示する。
【０１９５】
ウェブページ作成部４１３は、画像一覧ページ１０４１を生成するためのデータを、ウェブページデータベース４２３から取得する。ウェブページ作成部４１３は、データを用いると共に、画像データベース４２４に保存されているユーザの全画像を参照することによって、図１７（ｃ）に示すような画像一覧ページ１０４１を生成し、通信制御部４１１に出力する。画像一覧ページ１０４１は、画像データベース４２４に保存されているユーザの全画像を個別に表す、複数のサムネイル画像１０４２を含んでいる。通信制御部４１１は、通信部４０３を通じて画像一覧ページ１０４１を携帯端末６に送信する（ステップＳ２７）。
【０１９６】
携帯端末６の通信制御部６１１は、通信部６０３を通じて画像一覧ページ１０４１を受信する。通信制御部６１１は、受信した画像一覧ページ１０４１を表示制御部６１３に出力する。表示制御部６１３は、画像一覧ページ１０４１を表示部６０５に出力する。結果、表示部６０５に画像一覧ページ１０４１が表示される（ステップＳ２８）。
【０１９７】
ユーザは、携帯端末６の入力部６０４を操作することによって、表示中のサムネイル画像１０４２のうち、携帯端末６に保存したい画像に対応するサムネイル画像１０４２を選択する（ステップＳ２９）。入力制御部６１２は、この選択操作を受け付けて、サムネイル画像１０４２が選択されたことを通信制御部６１１に通知する。これにより通信制御部６１１は、選択されたサムネイル画像１０４２に対応する画像の提供を求めるリクエストを、通信部６０３を通じて管理サーバ４に送信する。
【０１９８】
管理サーバ４の通信制御部４１１は、通信部４０３を通じて、送信されたリクエストを受信する（ステップＳ３０）。次に通信制御部４１１は、携帯端末６から提供を求められたユーザの画像を通信制御部４１１に出力するように、画像管理部４１４に指示する。
【０１９９】
画像管理部４１４は、指示された画像を画像データベース４２４から取得し、通信制御部４１１に出力する。通信制御部４１１は、通信部４０３を通じて、入力された画像を携帯端末６に送信する（ステップＳ３１）。
【０２００】
携帯端末６の通信制御部６１１は、通信部６０３を通じて、送信された画像を受信し、記憶部６０２に保存する（ステップＳ３２）。以上により、携帯端末６への画像保存処理が完了する。
【０２０１】
なお、上述の説明では、携帯端末６が画像提供サイトへログインすることにより画像を取得する構成を例に挙げて説明したが、本実施形態では、シールＩＤを用いて画像を取得することもできる。例えば、携帯端末６は、シール紙に印刷されているＵＲＬ（又は、案内メールに含まれるＵＲＬ）の示すウェブページにアクセスすると共に、ユーザによるシールＩＤの入力操作を受け付けることにより、画像取得用ページにアクセスする。
【０２０２】
このとき、画像取得用ページは、ユーザが有料会員である場合にはシールＩＤにより特定される画像であって１ゲーム中に生成された全ての画像をユーザが選択可能に一覧表示し、ユーザが無料会員である場合にシールＩＤにより特定される全画像のうち１枚の画像のみをユーザが選択可能に一覧表示してもよい。また、画像取得用ページは、ユーザが無料会員である場合には、写真シール作成装置１において予め選択されている１枚の画像のみを表示してもよい。なお、画像取得用ページには、編集画像のみが一覧表示されることが好ましいが、例えば、編集画像の生成されていない撮影画像が存在する場合には編集画像と編集画像の生成されていない撮影画像とを一覧表示してもよいし、編集画像および撮影画像の全てを一覧表示してもよいし、特に限定されるものではない。
【０２０３】
携帯端末６は、画像取得用ページにおいて一覧表示されている画像のうち、ユーザにより選択された画像を管理サーバ４から取得し、記憶部６０２に保存する。なお、ユーザが有料会員である場合には、携帯端末６は、画像取得用ページにおいて一覧表示されている画像に対するユーザの選択操作を受け付けることなく、一覧表示されている全ての画像を管理サーバ４から取得し、記憶部６０２に保存してもよい。
【０２０４】
（写真シール作成装置１におけるモデル会員画像４２７の表示処理）
上述のように、撮影制御部３１２および編集制御部３１３は、それぞれ、モデル選択画像およびモデル会員トップページをタッチパネルモニタ９３、タブレット内蔵モニタ１３１に表示させてもよい。すなわち、撮影制御部３１２および編集制御部３１３は、モデル選択画像およびモデル会員トップページを表示させる表示制御部（表示制御手段）である。また、タッチパネルモニタ９３、タブレット内蔵モニタ１３１は、モデル選択画像およびモデル会員トップページを表示する表示部であると共に、ユーザの操作を受け付ける入力受付部であると言える。
【０２０５】
ここで、表示制御部がモデル選択画像およびモデル会員トップページを表示部に表示する表示処理について、図１８〜図２０に基づいて説明する。図１８は、写真シール作成装置１の表示制御部が実行する表示処理の一例を示すフローチャートであり、図１９は、写真シール作成装置１が表示するモデル選択画像の一例を示す図であり、図２０は、写真シール作成装置１が表示するモデル会員トップページの一例を示す図である。
【０２０６】
図１８に示すように、まず、表示制御部は、記憶部２０２に記憶されているデータを読み出して、モデル選択画像を生成する。表示制御部は、生成したモデル選択画像を表示部に表示させる（Ｓ４１：選択画像表示ステップ）。
【０２０７】
図１９に示すように、モデル選択画像１０５１は、所定のモデル会員と対応付けられているトップ動画像１０５２を複数含む。ユーザは、何れかのトップ画像１０５２を選択することにより、選択したトップ動画像１０５２に対応付けられたモデル会員のモデル会員トップページを開くことができる。
【０２０８】
なお、モデル選択画像１０５１は、各モデル会員を選択可能な情報が含まれていればよい。例えば、モデル選択画像１０５１は、トップ動画像１０５２の代わりに、モデル会員を示すその他の画像、または、モデル会員名等を示すテキストなどを含んでいてよい。
【０２０９】
次に、表示制御部は、入力受付部からユーザの選択操作を示す信号が送信されるのを待つ（Ｓ４２）。入力受付部がユーザの選択操作を検出し、ユーザの選択操作を示す信号を表示制御部に送信すると（Ｓ４２でＹＥＳ：入力ステップ）、表示制御部は、受信した信号に基づいて、ユーザが選択したモデル会員を特定する。そして、表示制御部は、記憶部２０２から特定したモデル会員のモデル会員特定情報４２５モデル会員画像４２７を読み出して、特定したモデル会員のモデル会員トップページを生成する。表示制御部は、生成したモデル会員トップページを表示部に表示させる（Ｓ４３：モデル画像表示ステップ）。
【０２１０】
例えば、表示制御部は、図２０に示すようなモデル会員トップページを表示部に表示させる。図２０に示すように、モデル会員トップページ１０６１は、トップ動画像１０６２、アイコン画像１０６３、モデル会員名１０６４、画像枚数１０６５、リンク画像１０６６、１０６７、プロフィールボタン１０６８、表示切替タブ１０６９、および、サムネイル画像１０７０を含む。
【０２１１】
トップ動画像１０６２は、モデル会員の顔画像、モデル会員の名前を示す文字、および、背景画像等を含む画像であり、モデル会員毎に個別に生成された画像である。
【０２１２】
アイコン画像１０６３は、モデル会員を示す画像である。
【０２１３】
モデル会員名１０６４は、モデル会員の名前またはニックネーム等を示す文字である。
【０２１４】
画像枚数１０６５は、記憶部２０２（画像データベース４２４）に保存されているモデル会員画像４２７の画像枚数を示す。
【０２１５】
リンク画像１０６６、１０６７は、モデル会員のＳＮＳまたはＢＬＯＧ等の個人ページを開くためのリンク画像である。ユーザがリンク画像１０６６または１０６７を選択した場合、表示制御部は、ユーザ特定情報を参照して、リンク先のＳＮＳページまたはＢＬＯＧページ等を表示部に表示させる。
【０２１６】
プロフィールボタン１０６８は、モデル会員が設定したコメント等を表示するためのプルダウンボタンである。ユーザがプロフィールボタン１０６８を選択した場合、表示制御部は、ユーザ特定情報を参照して、プロフィールコメントを表示する。
【０２１７】
表示切替タブ１０６９は、モデル会員画像４２７の表示順序等を変更するためのボタンである。図示の例では、表示切替タブ１０６９として、「新着順」タブ、「日付順」タブ、「プリ機別」タブがある。「新着順」タブは、モデル会員画像４２７を新着順（保存された順番）での表示に切り替えるタブである。「日付順」タブは、モデル会員画像４２７を日時情報に基づいて日付順での表示に切り替えるタブである。「プリ機別」タブは、モデル会員画像４２７が撮影された写真シール作成装置１の機種別に分類されて表示される画面に切り替えるタブである。
【０２１８】
サムネイル画像１０７０は、モデル会員画像４２７のサムネイル画像である。
【０２１９】
なお、上記の例では、ユーザにモデルを選択させているが、予めユーザにお気に入りのモデルを登録させておいてもよい。具体的には、画像提供サイト上で、予めユーザにお気に入りのモデルを登録させておく。すなわち、管理サーバ４は、ユーザ特定情報（一般会員特定情報）としてお気に入りのモデルをユーザに対応付けておく。写真シール作成装置１の表示制御部は、ログイン画面を表示部に表示し、ユーザがログイン後、ユーザ特定情報を参照して、ユーザに対応付けられたお気に入りのモデルのモデル会員画像４２７を表示部に表示させてもよい。
【０２２０】
また、お気に入りのモデルに限らず、お気に入りの他の一般会員を登録してもよい。この場合、写真シール作成装置１の表示制御部は、ユーザがお気に入りの他の一般会員の一般会員画像４２８を表示部に表示させる。
【０２２１】
（携帯端末６が表示する会員トップページの他の実施例）
上記では、ユーザが画像提供サイトにログイン後に表示される会員トップページとして、図１７（ｂ）を例示しているが、これに限るものではなく、例えば、図２１に示す会員トップページ（ユーザページ）を表示してもよい。すなわち、ウェブページ作成部４１３は、図２１に示す会員トップページを作成してもよい。
【０２２２】
図２１に示すように、会員トップページ１０８１は、トップ動画像１０８２、アイコン画像１０８３、会員名１０８４、画像枚数１０８５、リンク画像１０８６、１０８７、プロフィールボタン１０８８、表示切替タブ１０８９、および、サムネイル画像１０８０を含む。これら、トップ画像１０８２、アイコン画像１０８３、会員名１０８４、画像枚数１０８５、リンク画像１０８６、１０８７、プロフィールボタン１０８８、表示切替タブ１０８９、および、サムネイル画像１０８０の機能は、それぞれ、図２０に示すトップ画像１０６２、アイコン画像１０６３、モデル会員名１０６４、画像枚数１０６５、リンク画像１０６６、１０６７、プロフィールボタン１０６８、表示切替タブ１０６９、および、サムネイル画像１０７０と同じ機能を有する。
【０２２３】
図２１に示す会員トップページ１０８１は、上述のように、トップ動画像１０８２を含み、トップ動画像１０８２は、会員の顔画像１０９１、会員の名前を示す文字１０９２、および、背景画像１０９３等を含む。ここで、ユーザは、顔画像、文字、背景画像、顔画像の位置、文字の位置および文字のフォント等を選択して、自由にトップ動画像１０８２を生成することができる。
【０２２４】
以下に、トップ動画像１０８２を生成する処理の流れについて、図２２に基づいて説明する。図２２は、トップ動画像１０８２を生成する処理の流れの一例を示すシーケンス図である。
【０２２５】
ユーザは、画像提供サイトにログインするために、画像提供サイトにアクセスする。その結果、図１７（ａ）に示すような画像提供サイトのトップページ１００１が、携帯端末６の表示部６０５に表示される。ユーザは、携帯端末６の入力部６０４を操作することによって、画像提供サイトへの会員ログイン処理を進めるためのリンク画像１００２を選択する。入力制御部６１２はこの選択操作を受け付けて、リンク画像１００２が選択されたことを通信制御部６１１に通知する。これにより通信制御部６１１は、ユーザの会員ＩＤおよびパスワードを記憶部６０２から読み出し、通信部６０３を通じて管理サーバ４に送信すると共に、画像提供サイトへのログインを管理サーバ４に要求する（ステップＳ５１）。
【０２２６】
管理サーバ４の通信制御部４１１は、この要求を、通信部４０３を通じて受け付ける（ステップＳ５２）。次に通信制御部４１１は、受信した会員ＩＤおよびパスワードをウェブページ作成部４１３に出力すると共に、会員トップページ１０８１の作成をウェブページ作成部４１３に指示する。
【０２２７】
ウェブページ作成部４１３は、入力された会員ＩＤおよびパスワードを会員データベース４２２と照合することによって、ユーザが画像提供サイトに会員として登録されているか否かを判定する。登録されていると判定した場合、ウェブページデータベース４２３、会員データベース４２２および画像データベース４２４から、会員トップページ１０８１を生成するためのデータを取得する。ウェブページ作成部４１３は、当該データを用いて、図２１に示すような会員トップページ１０８１を生成し、通信制御部４１１に出力する。通信制御部４１１は、通信部４０３を通じて会員トップページ１０８１を携帯端末６に送信する（ステップＳ５３）。
【０２２８】
携帯端末６の通信制御部６１１は、通信部６０３を通じて、会員トップページ１０８１を受信する。通信制御部６１１は、受信した会員トップページ１０８１を表示制御部６１３に出力する。表示制御部６１３は、会員トップページ１０８１を表示部６０５に出力する。結果、表示部６０５に会員トップページ１０８１が表示される（ステップＳ５４）。
【０２２９】
ユーザは、携帯端末６の入力部６０４を操作することによって、トップ動画像１０８２の生成指示を入力する（ステップＳ５５）。入力制御部６１２が、この操作を受け付けて、トップ動画像１０８２の生成指示が入力されたことを通信制御部６１１に通知する。これにより通信制御部６１１は、トップ動画像１０８２の生成を求めるリクエストを、通信部６０３を通じて管理サーバ４に送信する。
【０２３０】
管理サーバ４の通信制御部４１１は、送信されたリクエストを、通信部４０３を通じて受け付ける（ステップＳ５６）。次に通信制御部４１１は、トップ動画像１０８２の生成を、ウェブページ作成部４１３に指示する。
【０２３１】
ウェブページ作成部４１３は、ウェブページデータベース４２３から必要なデータを取得し、取得したデータを用いて、トップ動画像１０８２を生成するためのページ（トップ動画像生成ページ）を作成し、通信制御部４１１に出力する。通信制御部４１１は、通信部４０３を通じてトップ動画像生成ページを携帯端末６に送信する（ステップＳ５７）。
【０２３２】
携帯端末６の通信制御部６１１は、通信部６０３を通じてトップ動画像生成ページを受信する。通信制御部６１１は、受信したトップ動画像生成ページを表示制御部６１３に出力する。表示制御部６１３は、トップ動画像生成ページを表示部６０５に出力する。結果、表示部６０５にトップ動画像生成ページが表示される（ステップＳ５８）。
【０２３３】
ここで、トップ動画像生成ページには、例えば、トップ動画像１０８２に使用する人物画像、前景画像および背景画像、並びに、人物画像、前景画像および背景画像の位置関係、前景画像に含まれる文字列、文字列のレタリング等を、ユーザが指定または選択可能にする情報が掲載されているとする。
【０２３４】
ユーザは、携帯端末６の入力部６０４を操作することによって、表示中のトップ動画像１０８２に使用する人物画像、前景画像および背景画像、並びに、人物画像、前景画像および背景画像の位置関係等の項目を指定または選択する（ステップＳ５９）。入力制御部６１２は、この操作を受け付けて、トップ画像１０８２に使用する人物画像、前景画像および背景画像、並びに、人物画像、前景画像および背景画像の位置関係等を示す指示情報を生成し、生成した指示情報を通信制御部６１１に通知する。これにより通信制御部６１１は、指定または選択された人物画像、前景画像および背景画像、並びに、人物画像、前景画像および背景画像の位置関係、前景画像に含まれる文字列、文字列のレタリング等を使用してトップ動画像１０８２の生成を求めるリクエストである指示情報を、通信部６０３を通じて管理サーバ４に送信する。
【０２３５】
管理サーバ４の通信制御部４１１は、通信部４０３を通じて、送信されたリクエスト（指示情報）を受信する（ステップＳ６０：受信ステップ）。次に通信制御部４１１は、指示情報の示す人物画像、前景画像および背景画像、並びに、人物画像、前景画像および背景画像の位置関係、前景画像に含まれる文字列、文字列のレタリング等を使用して生成したトップ動画像１０８２を通信制御部４１１に出力するように、画像生成部４１６に指示する。
【０２３６】
画像生成部４１６は、指示に基づいて、指示情報の示す人物画像、前景画像および背景画像、並びに、人物画像、前景画像および背景画像の位置関係、前景画像に含まれる文字列、文字列のレタリング等を使用してトップ動画像１０８２を生成する（Ｓ６１：画像生成ステップ）。画像生成部４１６は、生成したトップ動画像１０８２を通信制御部４１１に出力する。通信制御部４１１は、通信部４０３を通じて、入力されたトップ動画像１０８２を携帯端末６に送信する（ステップＳ６２）。
【０２３７】
携帯端末６の通信制御部６１１は、通信部６０３を通じて、送信されたトップ動画像１０８２を受信し、通信制御部６１１は、受信したトップ動画像１０８２を表示制御部６１３に出力する。表示制御部６１３は、トップ動画像１０８２を表示部６０５に出力する。結果、表示部６０５にトップ動画像１０８２が表示される（ステップＳ６３）。
【０２３８】
ここで、ユーザは、思い通りのトップ動画像１０８２が生成された場合、携帯端末６の入力部６０４を操作することによって、トップ動画像１０８２の会員トップページ１０８１への掲載指示を入力する（ステップＳ６４）。入力制御部６１２が、この操作を受け付けて、トップ動画像１０８２の掲載指示が入力されたことを通信制御部６１１に通知する。これにより通信制御部６１１は、トップ動画像１０８２の会員トップページ１０８１への掲載を求めるリクエスト（トップ画像掲載指示）を、通信部６０３を通じて管理サーバ４に送信する。なお、ユーザが思い通りのトップ画像１０８２が生成できなかった場合、再度、トップ動画像生成ページを表示してもよい。
【０２３９】
管理サーバ４の通信制御部４１１は、通信部４０３を通じて、送信されたリクエスト（トップ画像掲載指示）を受信する（ステップＳ６５）。次に通信制御部４１１は、画像生成部４１６が生成したトップ動画像１０８２を掲載した会員トップページ１０８１を通信制御部４１１に出力するように、ウェブページ作成部４１３に指示する。
【０２４０】
ウェブページ作成部４１３は、画像生成部４１６が生成したトップ動画像１０８２を会員トップページ１０８１に掲載して、会員トップページ１０８１を更新する（Ｓ６６：ページ作成ステップ）。ウェブページ作成部４１３は、更新した会員トップページ１０８１を通信制御部４１１に出力する。通信制御部４１１は、通信部４０３を通じて、更新された会員トップページ１０８１を携帯端末６に送信する（ステップＳ６７）。
【０２４１】
携帯端末６の通信制御部６１１は、通信部６０３を通じて、更新された会員トップページ１０８１を受信する。通信制御部６１１は、受信した会員トップページ１０８１を表示制御部６１３に出力する。表示制御部６１３は、更新された会員トップページ１０８１を表示部６０５に出力する。結果、表示部６０５に、画像生成部４１６が生成したトップ動画像１０８２が掲載された会員トップページ１０８１が表示される（ステップＳ６８）。
【０２４２】
なお、Ｓ５９において、ユーザがモデル会員のトップ動画像１０８２を真似て、自身のトップ動画像１０８２を生成できるようにしてもよい。具体的には、ユーザがモデル会員のトップ動画像１０８２を選択した場合、入力制御部６１２は、選択されたモデル会員のトップ動画像１０８２の背景画像および前景画像、並びに、人物画像、背景画像および前景画像の位置関係、並びに、前景画像に含まれる文字列、文字列のレタリングおよびオフジェクトの少なくとも何れかを示す情報を含む指示情報を生成してもよい。すなわち、画像生成部４１６は、ユーザが選択したモデル会員のトップ動画像１０８２に使用されている１または複数の要素（背景画像および前景画像、並びに、人物画像、背景画像および前景画像の位置関係、並びに、前景画像に含まれる文字列、文字列のフォント、文字列のレタリングおよびオフジェクト）を使用して、トップ動画像１０８２を生成してよい。これにより、ユーザは、モデル会員のトップ動画像１０８２を真似た自身のトップ動画像１０８２を容易に作成することができる。
【０２４３】
また、Ｓ５９において、トップ動画像生成部４１６は、ユーザが選択したモデルのトップ画像の構成要素のうち、当該モデルの人物画像をユーザの人物画像に入れ替えると共に、当該モデルの文字列画像におけるモデルを示す文字列を、ユーザを示す文字列に入れ替えて、ユーザのトップ画像を生成してもよい。この場合、モデルのトップ画像における人物画像の中心（重心）に、入れ替えるユーザの人物画像の中心（重心）が一致するように配置し、モデルのトップ画像における文字列画像における文字列の中心（重心）に、入れ替えるユーザの文字列の中心（重心）が一致するように配置してユーザのトップ画像を生成してよい。
【０２４４】
また、Ｓ５９において、ユーザが画像データベース４２４に格納されている画像を用いて、自身のトップ画像１０８２を生成できるようにしてもよい。具体的には、ユーザが画像データベース４２４に格納されている画像を選択した場合、入力制御部６１２は、選択された画像をトップ動画像１０８２に使用する人物画像を示す情報として、指示情報を生成する。すなわち、画像生成部４１６は、ユーザが選択した画像からユーザの人物画像を抽出し、抽出した人物画像を使用してトップ動画像を生成してよい。
【０２４５】
また、本実施形態では、管理サーバ４のウェブページ作成部４１３が会員トップページ１０８１を作成し、画像生成部４１６がトップ動画像１０８２を生成して、携帯端末６は、管理サーバ４から会員トップページ１０８１およびトップ動画像１０８２を受信して、該会員トップページ１０８１およびトップ動画像１０８２を表示している。しかしながら、これに限るものではない。例えば、携帯端末６の表示制御部（表示制御手段）６１３がページ作成機能を有し、図１２に示すように、制御部６０１がトップ動画像生成部６１４を有し、管理サーバ４から受信したデータに基づいて、会員トップページ１０８１およびトップ動画像１０８２を生成してもよい。なお、携帯端末６のトップ動画像生成部６１４は、管理サーバ４のトップ動画像生成部４１６と同じ機能である。
【０２４６】
具体的には、携帯端末６の通信制御部（受信手段、取得手段）６１１が予め管理サーバ４から会員トップページ１０８１およびトップ動画像１０８２の生成に必要なデータ（例えば、画像閲覧アプリおよび画像生成アプリ、ユーザのトップ動画像、モデル会員のトップ動画像等）を受信しておく。そして、携帯端末６の表示制御部６１３およびトップ動画像生成部６１４は、ユーザからの指示および予め受信したデータに基づいて、会員トップページ１０８１を作成したり、トップ動画像１０８２を生成したりしてもよい。そして、表示制御部６１３は、生成した会員トップページ１０８１およびトップ動画像１０８２を表示部６０５に表示させてもよい。ここで、通信制御部（指示手段）６１１は、トップ動画像生成部６１４がトップ動画像１０８２を生成した場合、生成されたトップ動画像１０８２を管理サーバ４に送信し、管理サーバ４に対して、会員トップページ１０８１に生成されたトップ動画像１０８２を掲載するように指示する。
【０２４７】
（秘密画像）
画像提供サイトにおいて、基本的に、無料会員および有料会員は、会員種別に関わらず、モデル会員画像４２７を自由に閲覧することができる。ただし、モデル会員画像４２７のうち、モデル会員または管理サーバ４によって特別に指定された画像（以下、秘密画像と称する）について、特定のユーザのみが閲覧可能なように、閲覧を制限してもよい。例えば、秘密画像を有料会員にのみ公開してもよい。また、管理サーバ４は、会員ごとに、写真シール作成装置１の利用頻度（利用回数）に応じたポイントを会員に付与し、ポイントが所定値以上の会員にのみ秘密画像を公開してもよい。
【０２４８】
なお、秘密画像を設定する場合、画像管理部４１４は、モデル会員画像４２７に対して、秘密画像であることを示す秘密タグを付与してよい。換言すると、モデル会員画像４２７には、全てのユーザが閲覧可能な第１画像と、特定のユーザのみが閲覧可能な第２画像とが含まれる。この場合、管理サーバ４は、秘密タグの有無に基づいて秘密画像であるか否かを判別してよい。また、管理サーバ４は、ユーザ毎に、ユーザのポイントを示すポイント情報（または、ユーザの写真シール作成装置１の利用回数を示す利用回数情報）をユーザ特定情報として会員データベース４２２に格納してよい。
【０２４９】
（写真シール作成装置１におけるトップ動画像生成処理）
次に、写真シール作成装置１が実行するトップ動画像生成処理について、図２３に基づいて説明する。図２３は、写真シール作成装置１が実行するトップ動画像生成処理の一例を示すフローチャートである。図２３では、編集作業の工程中に、編集制御部３１３（トップ動画像生成部３２１）がトップ動画像生成処理を実行する例を示しているが、これに限るものではなく、事後接客の工程中に、事後接客部３１５（トップ動画像生成部３３１）がトップ動画像生成処理を実行してもよい。
【０２５０】
編集制御部３１３は、例えば、ユーザがトップ動画像生成指示を入力すること（トップ動画像生成開始ボタンの押し下げ）により、トップ動画像の生成処理を開始する。図２３に示すように、まず、編集制御部３１３は、タブレット内蔵モニタ１３１に、トップ動画像の構成要素をユーザに選択させるための選択画像を表示させる（Ｓ７１）。
【０２５１】
そして、ユーザが所定の構成要素を選択する選択操作をタブレット内蔵モニタ１３１が受け付けると（Ｓ７２でＹＥＳ）、編集制御部３１３は、タブレット内蔵モニタ１３１に、ユーザが選択した構成要素の内容を入力するための入力画像を表示させる（Ｓ７３）。例えば、編集制御部３１３は、入力画像として、構成要素の内容を選択するためのプルダウンメニューを表示させてもよい。また、編集制御部３１３は、入力画像として、構成要素の内容を選択するための画像サンプルの一覧画像を表示させてもよい。また、編集制御部３１３は、文字列を入力するための入力画像を表示させてもよい。また、編集制御部３１３は、人物画像、背景画像および前景画像の位置関係を決定するための入力画像を表示させてもよい。さらに、編集制御部３１３は、入力画像にモデルのトップ動画像を利用するための利用ボタン等を表示させてもよい。
【０２５２】
このとき、ユーザがモデルのトップ動画像の利用を選択した場合（Ｓ７４でＹＥＳ）、編集制御部３１３は、記憶部２０２から、各モデルのトップ動画像を読み出す。そして、編集制御部３１３は、読み出した各モデルのトップ動画像が掲載された選択画像をタブレット内蔵モニタ１３１に表示させる（Ｓ７５）。ユーザが所定のトップ動画像を選択すると（Ｓ７６でＹＥＳ：入力受付ステップ）、トップ動画像生成部３３１は、ユーザが選択したトップ動画像の構成要素の内容を、生成するユーザのトップ動画像に適用する（Ｓ７７）。
【０２５３】
一方、Ｓ７４でモデルのトップ動画像の利用が選択されず（Ｓ７４でＮＯ）、ユーザが所定の内容を入力した場合（Ｓ７８でＹＥＳ）、トップ動画像生成部３３１は、ユーザが入力した構成要素の内容を、生成するユーザのトップ動画像に適用する（Ｓ７９）。
【０２５４】
このように、各構成要素についてユーザが入力を行い、全ての構成要素の内容が決定するまで、Ｓ７１〜Ｓ７９を繰り返す。そして、全ての構成要素の内容が決定した場合（Ｓ８０でＹＥＳ）、トップ動画像生成部３３１は、選択、入力された構成要素の内容に基づいて、ユーザのトップ動画像を生成する（Ｓ８１：動画生成ステップ）。なお、トップ画像を生成する場合、トップ動画の構成要素（合成動画の表示切替時間および表示切替効果等）が入力されなくてもよい。
【０２５５】
そして、通信制御部３１１は、トップ動画生成部３３１が生成したトップ動画像を管理サーバ４に送信する（Ｓ８２：送信ステップ）。
【０２５６】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０２５７】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０２５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２５９】
本発明は、写真シール作成装置において作成されたユーザの撮影画像を管理サーバに保存する撮影画像管理システムとして、幅広く利用することができる。
【符号の説明】
【０２６０】
１  写真シール作成装置
４  管理サーバ（管理装置）
６  携帯端末（端末装置）
１１  撮影ユニット
１２  編集部
１３  事後接客部
２１  撮影部
９３  タッチパネルモニタ（表示部、入力受付部）
１３１  タブレット内蔵モニタ（表示部、入力受付部）
２０１  制御部
３１１  通信制御部（送信手段）
３１２  撮影制御部（表示制御手段、撮影手段）
３１３  編集制御部（表示制御手段、編集手段）
３１４  印刷制御部
３１５  事後接客制御部
３２１  トップ動画像生成部（動画生成手段）
３３１  トップ動画像生成部（動画生成手段）
４０１  制御部
４０２  記憶部
４０３  通信部
４１１  通信制御部（取得手段、受信手段）
４１２  メール作成部
４１３  ウェブページ作成部（ページ作成手段）
４１４  画像管理部
４１５  写真シール作成装置管理部
４１６  トップ動画像生成部（動画像生成手段、動画編集手段）
６０１  制御部
６０２  記憶部
６０３  通信部
６０４  入力部
６０５  表示部
６１１  通信制御部（受信手段、指示手段、取得手段）
６１２  入力制御部
６１３  表示制御部（表示制御手段）
６１４  トップ動画像生成部（動画生成手段）
【図１】
2015180021.tif 000003
【図２】
2015180021.tif 000004
【図３】
2015180021.tif 000005
【図４】
2015180021.tif 000006
【図５】
2015180021.tif 000007
【図６】
2015180021.tif 000008
【図７】
2015180021.tif 000009
【図８】
2015180021.tif 000010
【図９】
2015180021.tif 000011
【図１０】
2015180021.tif 000012
【図１１】
2015180021.tif 000013
【図１２】
2015180021.tif 000014
【図１３】
2015180021.tif 000015
【図１４】
2015180021.tif 000016
【図１５】
2015180021.tif 000017
【図１６】
2015180021.tif 000018
【図１７】
2015180021.tif 000019
【図１８】
2015180021.tif 000020
【図１９】
2015180021.tif 000021
【図２０】
2015180021.tif 000022
【図２１】
2015180021.tif 000023
【図２２】
2015180021.tif 000024
【図２３】
2015180021.tif 000025